(57)【特許請求の範囲】
【請求項１】
天板と、
該天板の下面に接着により固定された脚連結部材と、
該脚連結部材に取り付けられる脚とを備える軽量テーブルであって、
前記天板の前記脚が取り付けられる位置において、前記天板の上側シート材と下側シート材との間に、前記脚を固定する手段が設けられておらず、
前記脚連結部材が、前記天板の下面と面接触して接着されるプレートと、該プレートに一体的に設けられ、脚が連結される被連結部とを有し、該被連結部に取り付ける部分を有する脚を備え、
前記天板が、前記脚が取り付けられる位置を含んで全面がハニカム内部構造を有するか、または、前記天板の上側シート材および下側シート材の間に発泡樹脂が介装され、
前記プレートと前記天板の下面との接合面全体が、接着により面接合されている軽量テーブル。
【請求項２】
前記プレートと前記被連結部は、それぞれ独立し、前記プレートと前記被連結部とが、接着または機械的に結合される請求項１記載の軽量テーブル。
【発明の詳細な説明】
【技術分野】
【０００１】
本発明は、天板が、脚が取り付けられる位置を含んで全面にハニカム内部構造を有する軽量テーブルに関する。
【背景技術】
【０００２】
現在、ハニカム内部構造を有する天板を用いた机が市販されている。このようなハニカム構造を有する天板は、その構造上、非常に軽量であり、持ち運びも容易である。ハニカム内部構造を有する天板は、正六角柱が隙間なく並べられた構造となるように、天板の上下方向に複数の仕切壁により正六角柱が形成され、仕切壁の間は空洞になるように形成されている。このような構造上、ハニカム内部構造を有する天板に、机の脚をネジやビスなどで直接取り付けようとすると、脚がぐらついてしまい、衝撃や日常の使用により机が壊れやすくなるという問題がある。
【０００３】
一方、特許文献１には、ハニカム内部構造を有する板を用いて机を製造することが記載されている。特許文献１に記載された机は、天板の左右両側の端面に、ハニカム内部構造を有する天板とは別部材である横側端面板を固定し、その横側端面板に形成されたダボ穴に、机の脚に形成されたダボを嵌合することにより、机の脚を固定している。
【先行技術文献】
【特許文献】
【０００４】
【特許文献１】特開平１１−１２３７７８号公報
【発明の概要】
【発明が解決しようとする課題】
【０００５】
しかし、ハニカム内部構造の天板に別部材を埋め込んだり、特許文献１に示す机のように、天板の端面に別部材を差し込み、その別部材にビスやネジ、ダボなどを固定する固定部を設けて、別部材に脚を直接取り付ける方法がある。しかしこの場合、脚を取り付けるために別部材を天板に埋め込んだり、差し込んだりする必要があり、製造工程が複雑になるうえ、天板の内部構造も複雑になるため、製造コストの高騰に繋がる。また、別部材を埋め込むことにより、天板の重量も増えてしまうという問題がある。また、天板の上側シート材と下側シート材の間に、発泡樹脂を充填、または成形された発泡樹脂を上側シート材と下側シート材の間に介装させた天板についても、ハニカム内部構造を有する天板と同様の問題が生じる。
【０００６】
本発明は上記問題に鑑みてなされたものであり、脚が取り付けられる位置を含んで全面にハニカム内部構造や発泡樹脂を有する天板内に別部材を設ける必要がなく脚の取り付けが可能な、軽量、かつ構造が簡単で製造コストを低減できる軽量テーブルを提供することを目的とする。
【課題を解決するための手段】
【０００７】
上記の課題を解決するための本発明の軽量テーブルは、天板と、該天板の下面に接着により固定された脚連結部材と、該足連結部材に取り付けられる脚とを備える軽量テーブルであって、前記天板の前記脚が取り付けられる位置において、前記天板の上側シート材と下側シート材との間に、前記脚を固定する手段が設けられておらず、前記脚連結部材が、前記天板の下面と面接触して接着されるプレートと、該プレートに一体的に設けられ、脚が連結される被連結部とを有し、該被連結部に取り付ける部分を有する脚を備え、前記天板が、前記脚が取り付けられる位置を含んで全面がハニカム内部構造を有するか、または、前記天板の上側シート材および下側シート材の間に発泡樹脂が介装され、前記プレートと前記天板の下面との接合面全体が、接着により面接合されていることを特徴とする。
【０００９】
また、本発明の軽量テーブルは、前記プレートと前記被連結部は、それぞれ独立し、前記プレートと前記被連結部とが、接着または機械的に結合されていても良い。
【００１０】
また、前記プレートの接着時に、前記プレートが前記天板に補助的な固定手段により固定されることが好ましい。
【発明の効果】
【００１１】
本発明の軽量テーブルは、脚連結部材と天板との接合が、面同士で接着のみにより固定され、ハニカム内部構造を有する天板や天板内に発泡樹脂が介装された天板内に別部材を埋め込むことなく、高い接合強度を得ることができる。したがって、取り付けた脚がぐらつくことがなく、ハニカム内部構造を有する天板や、天板内に発泡樹脂が介装された天板に別部材を埋め込んだりする必要がないため、従来のハニカム内部構造を有する天板や、発泡樹脂が介装された天板を有するテーブルよりも軽量であり、かつ製造コストの上昇を防止することができる。また、脚連結部材と天板との接合強度が高いため、脚の着脱時や折り畳み時に加わる脚連結部材への繰り返しの衝撃にも耐えることができる。
【図面の簡単な説明】
【００１２】
【図１】本発明の第１の実施形態を示す断面図である。
【図２】図１に示す天板のハニカム内部構造を説明する斜視図である。
【図３】本発明の第２の実施形態を示す断面図である。
【発明を実施するための形態】
【００１３】
以下、添付の図１〜図３を参照し、本発明の軽量テーブルを詳細に説明する。
【００１４】
図１に本発明にかかる軽量テーブルの第１の実施形態を示す。なお、図１〜３ではハニカム内部構造を有する軽量テーブルを例にあげて説明するが、後述するように、軽量にするためにハニカム内部構造を発泡樹脂に代えた軽量テーブルでもよく、発泡樹脂については特に図示していない。軽量テーブルＴは、天板１と、天板１の下面（後述する下側シート材１２）に接着により固定された脚連結部材２と、脚連結部材２に取り付けられる脚３とで主要部が構成されている。軽量テーブルＴの全体の形状は、特に限定されるものではなく、また、脚３は、通常４本であるが、軽量テーブルＴを支持できる本数であれば、脚３の本数は特に限定されるものではない。
【００１５】
天板１は、図１および図２に示されるように、天板１の脚３が取り付けられる位置において、天板１の上側シート材１１と下側シート材１２との間に、脚３を固定する手段が設けられていない。ここで、脚を固定する手段とは、ビス、ネジ、ボルト、その他脚３を天板１に固定するための部材を固定する土台となる部分（たとえばビスやネジを固定するための木材等や、ナット等の被嵌合部）をいう。本発明では、このような脚３を固定する手段が、天板１内に設けられておらず、天板１を軽量にできるとともに、部品点数を減らすことができ、天板１の製造も容易である。
【００１６】
図２に示す実施形態では、上側シート材１１と下側シート材１２との間における脚３が取り付けられる位置を含んだ全面にハニカム内部構造４を有し、上側シート材１１と下側シート材１２の外周部を天板側壁１４（図１を参照）で連結して構成されている。ハニカム内部構造４は、図２に示すように、天板１の上側シート材１１と下側シート材１２との間に、ハニカム内部構造４のコア材として、複数の仕切壁４ａを、複数の六角柱が隙間なく形成されるように設けられ、仕切壁４ａの間には、空隙が形成されている。ここで、「脚３が取り付けられる位置を含んだ全面」の意味は、天板１の内部における、脚３が取り付けられる天板１の下面の位置と対応する部位を含む内部全体を意味する。したがって、図２に示すように、脚３が取り付けられる位置においても、仕切壁４ａにより形成されたハニカム内部構造４は存在し、脚３を天板１に取り付けるために、天板１にビスやネジなどを固定するための補強材などの別部材は埋め込まれていない。
【００１７】
なお、図１〜３に示す実施形態では、天板１の上側シート材１１と下側シート材１２との間にハニカム内部構造４を有するものを示したが、天板１を軽量化するために、天板１の上側シート材１１と下側シート材１２との間に、発泡樹脂を介装させて天板１を作製してもよい。たとえば、上側シート材１１と下側シート材１２の間にフレーム部分を設け、当該フレーム部分内側の空間に発泡樹脂を充填したものや、成形された発泡樹脂を詰め込むことにより、発泡樹脂を介装させてもよい。天板１の上側シート材１１と下側シート材１２との間に発泡樹脂を介装することにより、天板１を軽量に保ったまま、天板１の強度を高めることができる。
【００１８】
上側シート材１１と下側シート材１２を成形するための素材は、テーブルとしての強度を確保することができるのであれば特に限定されるものではなく、例えば、ポリプロピレン、ポリエチレン、ポリカーボネート、ポリエチレンテレフタレートなど、用途に応じて適宜選択するのが望ましい。また、ハニカム内部構造４は、ポリプロピレン、ポリエチレン、ポリカーボネート、ポリエチレンテレフタレートなどで成形が可能である。ハニカム内部構造４と、上側シート材１１および下側シート材１２とが同じ材質の場合には、熱融着をすることにより、十分な剥離強度を得ることができる。また、ハニカム内部構造４を紙製とし、紙製のハニカム内部構造４と木材の合板を接着剤で接合したものや、紙製のハニカム内部構造４と強化紙のシートを紙用の糊を使用して接合したものを、天板とすることもできる。なお、本発明における「天板」とは、上側シート材１１および／または下側シート材１２の表面に、天板を補強するために、メラミン化粧板、アクリル化粧板、ポリエステル化粧合板、シート合板、化粧フィルム等を貼り付けたものも含まれる。
【００１９】
図１に示すように、脚連結部材２は、天板１の下側シート材１２側に面同士で接触させて接着されたプレート５と、プレート５に一体的に設けられ、天板１とは反対側に突出して開口する円筒状の被連結部６とで構成されている。ここで、「プレート５に一体的に設ける」とは、被連結部６が、プレート５と共に一つの組付体（本発明では脚連結部材２）を構成するようにプレート５に設けることを意味し、必ずしも一体に成形されたものに限られず、図１に示すようにプレート５とは別部材の被連結部６を、プレート５への接合により一体化したものも含まれる。プレート５を成形するための素材は、天板１の下側シート材１２に接着させることができるのであれば特に限定されるものではないが、例えば、金属、合成樹脂などで成形することができる。被連結部６は、プレート５において下側シート材１２とは反対側の面に形成した取付凹部１５に取り付け、溶接など公知の固着手段により固着させて溶着することにより、プレート５に一体的に設けている。なお、本実施形態では、プレート５と被連結部６を別部材としているが、プレート５と被連結部６を一体成形により一部材にしてもよい。プレート５の厚さは、特に限定されず、図１に示すように、プレート５に取付凹部１５などを形成する場合は、厚いプレート５を用い、取付凹部１５などを形成しない場合には、薄いプレート５を用いることができ、プレート５の厚さとしては、たとえば１〜６０ｍｍとすることができる。また、プレート５の形状は、脚３が取り付けられる位置において被連結部６を取り付けることができるものであれば、直方体や円柱状であっても、それ以外の形状であっても構わない。また、プレート５と天板１との接着面積も特に限定されないが、接着面積が大きいほど強度が向上する。また、プレート５を設ける位置は、脚３が取り付けられる位置に少なくとも設けられていればよく、たとえば天板１の下面が長方形で、脚３が４本の場合は、天板１の下側シート材１２の四隅に少なくとも設ければよい。
【００２０】
被連結部６は、脚３が連結される部位であり、本実施の形態においては、図１に示すように、被連結部６の内周面には、雌ネジ部１６が形成されている。また、脚３は棒状であり、本体部２３と、脚３を被連結部６に取り付けるために被連結部６の内周面に取り付ける部分である取付端部３３とで構成されている。図１において、取付端部３３は、本体部２３より小径にされているが、図１に示す態様に限定されるものではなく、ほぼ同径であっても、径が大きくされていてもよい。
【００２１】
取付端部３３の外周部位には、雄ネジ部１３が形成されており、脚３の被連結部６への取り付けは、脚３の取付端部３３の雄ネジ部１３を被連結部６の雌ネジ部１６に回転させながら螺合させていくことで可能である。また、脚３の取付端部３３の雄ネジ部１３と被連結部６の雌ネジ部１６を螺合させた状態から、螺合させる時とは反対側に脚３を回転させていくことにより、脚３を被連結部６から取り外すことができる。なお、図１に示す実施の形態においては、被連結部６の内周面の全面に雌ネジ部１６が形成されているが、内周面全面ではなく、内周面に部分的に突出部を形成し、当該突出部に雄ネジ部１３を螺合させてもよい。同様に、雄ネジ部１３も、取付端部３３の外周全面ではなく、外周に部分的に雌ネジ部１６と螺合する突出部を形成して螺合させてもよい。
【００２２】
本実施の形態では、プレート５と天板１とが接着により面接触で接合されているため、プレート５と天板１とをリベット接合した時のように応力集中がなく、面接合により応力を分散させ、軽量テーブルＴの使用時に継続的に加わる力をプレート５と天板１との接合箇所において分散させ、高い接合強度を得ることができる。その結果、軽量テーブルＴのプレート５と天板１との接合箇所の強度が従来よりも高まるため、軽量テーブルＴの寿命を長くすることができる。また、脚３を、脚連結部材２の被連結部６に対して回転させることにより、脚３を取り付ける。このとき、脚３の固定時には、脚３を被連結部６に螺合させるときに、脚３の取付端部３３の雄ネジ部１３を、被連結部６の雌ネジ部１６に対して回転させながら固定するが、脚３をしっかりと固定するために、脚３をきつく締める必要があり、脚連結部材２全体に、脚３の回転方向と同方向の回転力が加わる。同様に、脚３の取り外し時には、逆方向の回転力が脚連結部材２全体に加わる。このような回転力が加わると、従来のように、脚連結部材２をネジやビスなどの固定手段により直接取り付けた場合や、別部材をハニカム内部構造４を有する天板内や発泡樹脂を有する天板内に埋め込んだ場合は、ネジやビスなどの固定手段や別部材に回転力が加わり、空隙が多く形成されたハニカム内部構造４や発泡樹脂の構造上、脚３の取り付け箇所が弱くなり、繰り返しの脚３の着脱により、脚３の取付位置が破損しやすくなる。一方、本実施の形態では、プレート５と天板１とを面接触させて、接着のみにより天板１と脚連結部材２を接合しているので、接合面全体に回転力を分散させ、１箇所に力が集中しないため、脚３の着脱時に加わる、繰り返しの衝撃に耐えることができる。
【００２３】
以上のように、本実施形態では、内部に空隙が多数存在するハニカム内部構造４を有する天板１や発泡樹脂が介装された天板１の下面シート材１２にボルト等の固定部材により直接脚３を取り付けるものではないため、取り付けた脚３がぐらつくことがない。また、脚３を取り付ける脚連結部材２は、天板１の下側シート材１２に面同士で固定部材を用いることなく接着のみにより取り付けることにより、ハニカム内部構造４を有する天板１や発泡樹脂が介装された天板１内に別部材を埋め込むことなく、高い接合強度を得ることができる。したがって、取り付けた脚３がぐらつくことがなく、天板１のハニカム内部構造４を有する天板１や発泡樹脂が介装された天板１内に脚３を取り付けるための別部材を埋め込んだりする必要がないため、従来のハニカム内部構造を備えた天板を有するテーブルや発泡樹脂が介装された天板よりも軽量化できると共に、製造コストの上昇を防止することができる。
【００２４】
図３に本発明にかかる軽量テーブルＴの第２の実施形態を示す。本実施形態では、図１に示す第１の実施形態の軽量テーブルと同じ部位および機能を有する部品については同じ符号を付して詳細な説明を省略し、第１の実施形態とは異なる構成や効果についてのみ説明する。
【００２５】
図３に示す実施形態では、脚３の取付端部３３が、被連結部６に圧入されて嵌合されて、脚３が脚連結部材２に取り付けられる。具体的には、図３に示す実施形態は、脚３の取付端部３３が、その先端において縦方向のスリットＳにより複数個（図３では図示していないが、取付端部３３の図３中、左右のそれぞれと、図３中、紙面手前および奥側のそれぞれの計４つのスリットＳが設けられている）に分割され、取付端部３３がその径方向に拡大、縮小が可能となるように形成されている。取付端部３３は、スリットＳによって分割されたそれぞれの先端に、外側が円弧状に膨らんだ膨出部３３ａが形成されている。この膨出部３３ａは、脚３の取付端部３３を被連結部６に押し込むと、取付端部３３が挿入される凹部１６ａの最奥部に環状に形成された係合溝１６ｂと係合する。また、脚３を外す方向に引っ張ると、係合溝１６ｂから膨出部３３ａが外れるとともに取付端部３３が径方向において縮小し、脚３を取り外すことができる。このように構成することにより、脚３の取付端部３３を、被連結部６に対して押し込むことにより、脚３を脚連結部材２に取り付けることができる。また、脚３を取り外すときは、被連結部６から脚３を引き抜くことにより、脚３の取付端部３３が、被連結部６から抜け、脚３を取り外すことができる。
【００２６】
図３に示す実施形態においても、プレート５と天板１とが接着により面接触で接合されているため、プレート５と天板１とをリベット接合した時のように応力集中がなく、面接合により応力を分散させ、軽量テーブルＴの使用時に継続的に加わる力をプレート５と天板１との接合箇所において分散させ、高い接合強度を得ることができる。その結果、軽量テーブルＴのプレート５と天板１との接合箇所の強度が従来よりも高まるため、軽量テーブルＴの寿命を長くすることができる。また、脚３の着脱時に、第１の実施の形態においては、脚連結部材２に回転力が加わっていたが、本実施の形態においては、脚３を押し込むときに脚３の押込力が脚連結部材２に加わり、脚３を抜くときに、脚３の引抜力が脚連結部材２に加わる。本実施の形態においては、プレート５と天板１とを面接触させて、接着のみにより天板１と脚連結部材２を接合することにより、接合面全体に押込力および引抜力を分散させ、１箇所に力が集中しないため、脚３の着脱時に加わる、繰り返しの衝撃に耐えることができる。
【００２７】
なお、本実施の形態において、脚３の取付端部３３に４つのスリットＳを設けたものを想定しているが、スリットＳの個数は特に限定されるものではなく、脚３の取付端部３３が、径方向外側、径方向内側に弾性変形が可能なものであれば、その個数や材質は限定されない。
【００２８】
なお、脚３と被連結部６のそれぞれの形状、および脚３と被連結部６とを着脱自在に取り付けるための構成については、ここで挙げた実施形態に限定されるものではなく、適宜に変更が可能であり、天板１側に設けられた被連結部６に、別部材である脚３を嵌め込んだり、螺合による取り付けや、脚３が折り畳み可能な机の場合の折り畳み金具による接合等、公知の接合構造により接合されるものも本発明に含まれる。
【符号の説明】
【００３０】
１  天板
２  脚連結部材
３  脚
４  ハニカム内部構造
４ａ  仕切壁
５  プレート
６  被連結部
１１  上側シート材
１２  下側シート材
１３  雄ネジ部
１４  天板側壁
１５  取付凹部
１６  雌ネジ部
１６ａ  凹部
１６ｂ  係合溝
２３  本体部
３３  取付端部
３３ａ  膨出部
Ｓ  スリット
Ｔ  軽量テーブル
【図１】
0006396634.tif 000002
【図２】
0006396634.tif 000003
【図３】
0006396634.tif 000004